(57)【特許請求の範囲】
【請求項１】
下水坑道内の下水管の穴の前方に電動装置を取り付ける方法であり、
応力がかかっていない状態で前記下水管の穴の内半径より若干大きな外半径を有していて前記電動装置を取り付けるための操作台になっている弾性の筒状部材を選択するステップと、
前記電動装置を前記筒状部材に取り付けるステップと、
前記筒状部材を前記下水管の穴の前方に位置決めし且つ前記筒状部材を前記下水管の穴の内半径より小さい外半径となるように圧縮するステップと、
前記電動装置を取り付けた前記筒状部材が下水坑道内に延びるように、前記筒状部材の少なくとも一部分を前記下水管内に挿入するステップと、
前記筒状部材を拡張させて前記下水管の穴の内壁と係合させるように、前記筒状部材の圧縮を解放するステップと、を含んでいる方法。
【請求項２】
前記筒状部材を前記下水管の穴の前方に位置決めするステップが、前記電動装置が取り付けられている筒状部材を下水坑道内へ降下させるために、下水坑道の上方から延びている取り付け機具を使用することを含んでいることを特徴とする請求項１に記載の方法。
【請求項３】
下水坑道内の下水管の穴の前方に電動装置を取り付けるための操作台を備えた前記電動装置であり、
前記操作台が、弾性材料によって作られ且つ小さな断面積まで圧縮されるのを可能にする細長いスリットを有する筒状部材からなり、その筒状部材に前記電動装置を取り付けるための手段が備えられていて、前記電動装置が前記筒状部材の外側に取り付けられていることを特徴とする電動装置。
【請求項４】
前記電動装置を取り付けるための手段が、当該操作台の外壁から内壁まで延びている多数の穴を備えている取り付け板を含んでいることを特徴とする請求項３に記載の電動装置。
【請求項５】
前記筒状部材が弾性プラスチックによって作られていることを特徴とする請求項３に記載の電動装置。
【請求項６】
前記筒状部材の外壁の少なくとも一部分が、当該筒状部材と前記下水管との間の摩擦を増大させるためのゴムのような摩擦増大材料によって覆われていることを特徴とする請求項５に記載の電動装置。
【請求項７】
前記筒状部材を圧縮するための機具を備えていることを特徴とする請求項３〜６のうちのいずれか一項に記載の電動装置。
【請求項８】
前記筒状部材を圧縮するための機具が、前記筒状部材の外半径より小さい距離だけ相対的に隔置されている少なくとも２つの指状突起を備えている顎状掴み部と、前記指状突起を前記筒状部材の外壁に押し付ける手段とを備えていることを特徴とする請求項７に記載の電動装置。
【請求項９】
前記指状突起を前記筒状部材の外壁に押し付けるための前記手段が、外ねじ部と、当該外ねじ部の端部に設けられたフランジ部とを備えている軸部と、当該軸部の外ねじ部を受け入れるための内ねじ部を備えている前記筒状部材に設けられた穴とを備えており、前記顎状掴み部が、前記軸部の前記ねじが切られた端部を受け入れ且つ前記軸上の前記フランジ部と係合するための前記指状突起同士の間に穴を備えていて、前記軸部が回されると前記筒状部材内へねじ込まれ、前記軸上のフランジ部が前記顎状掴み部上の前記指状突起を押圧して前記筒状部材を圧縮するようになされていることを特徴とする請求項８に記載の電動装置。
【発明の詳細な説明】
【技術分野】
【０００１】
本発明は、下水坑道に設けられた下水管の穴の前方に電動装置を配備する方法に関する。
【背景技術】
【０００２】
このような装置は、下水管内の水面、流量、流れ、水質／汚染、ＰＨ値若しくは温度の監視及び／又は連続的な記録のような多くの目的のために又はネズミを駆除するために使用することができる。例えば、ネズミ捕獲機には、これらの作業のための１以上の装置を配備することができる。
【０００３】
本明細書においては、ネズミを駆除するためのネズミ捕獲機は、このような電動装置の一例として使用されている。
【０００４】
例えば下水管内のネズミを駆除するためのネズミ捕獲機はＥＰ  １４００１７２によって公知であり、当該ネズミ捕獲機においては、ネズミを感知するための手段と、下水管内のネズミを殺すための手段とが配備されている（特許文献１参照）。
【先行技術文献】
【特許文献】
【０００５】
【特許文献１】ＥＰ  １４００１７２
【発明の概要】
【発明が解決しようとする課題】
【０００６】
この種の装置における課題は、特にバッテリのような電源を備えているので完備のための空間が必要とされること、ばね若しくは圧縮空気のためには装置が比較的大きな断面積の管内にのみ設置されることが必要とされること、又は電動装置の少なくとも一部は管の外部に設置せざるを得ないこと、及びネズミを殺すための手段のような電動装置を管の外部から管内へ挿入するための開口部を管に設けなければならないことである。
【課題を解決するための手段】
【０００７】
上記の課題は、本発明による電動装置を設置する方法によって解決することができる。
当該方法は、
応力がかかっていない状態で前記下水管の穴の内半径より若干大きな外半径を有していて前記電動装置を取付けるための操作台になっている弾性の筒状部材を選択するステップと、
前記電動装置を前記筒状部材に取り付けるステップと、
前記筒状部材を前記下水管の穴の前方に位置決めし且つ当該筒状部材を前記下水管の穴の内半径より小さい外半径となるように圧縮するステップと、
前記電動装置を取り付けた前記筒状部材が下水坑道内に延びるように、前記筒状部材の少なくとも一部分を前記下水管内に挿入するステップと、
前記筒状部材を拡張させて前記下水管の穴の内壁と係合させるために、前記筒状部材の圧縮を解放するステップと、を含んでいる。
【０００８】
前記電動装置を取り付けるための操作台になっている前記筒状部材によって、前記下水管が下水坑道内へと伸長せしめられ、その結果、下水坑道は前記電動装置のためのスペースを提供するが、ネズミがまだ下水管内にいたときにはネズミが動き回ることが依然とし
て確実になる。
【０００９】
本発明はまた、下水坑道内に設けられた下水管の前方に電動装置を設置するための操作台を備えている電動装置をも提供する。
【図面の簡単な説明】
【００１０】
【図１】図１は、ネズミ捕獲機の形態の電動装置が取り付けられた操作台の一実施形態の構造を示している概略図である。
【図２】図２は、下水坑道内に取り付けられた図１のネズミ捕獲機を示している概略図である。
【図３】図３は、取り付け機具を備えている下水管内に取り付けるための本発明による操作台を示している概略図である。
【図４】図４は、取り付け機具を備えている下水管内に取り付けるための本発明による操作台の第二の実施形態を示している概略図である。
【発明を実施するための形態】
【００１１】
以下、本発明を各図の違いによって更に詳細に説明する。
【実施例１】
【００１２】
最初に図１を参照して本発明の一実施形態を更に詳細に説明する。ネズミ捕獲機１は、バッテリのような電源と、スパイク（大釘）３を発射すること及び突き刺されたネズミを外すために当該スパイクを引き戻すことの両方を行うことができる自動化された機構（図示せず）とを備えている。このネズミ捕獲機は、単に、下水管の穴の前方において下水坑道内に取り付けられる電動装置の一例と見ることができる。当該電動装置の下水管内への取り付けは、当該電動装置を下水管に設置するのにスペースが必要とされるので、困難であった。
【００１３】
一方、下水坑道は装置を設置するための広いスペースを提供するが、かかる下水坑道内に例えばネズミ捕獲機を設置すると、ネズミがネズミ捕獲機を起動させることなく通り過ぎることができるかも知れないという不利な点を有している。
【００１４】
本発明に従って、図２は、下水坑道５０の底部に配置されているネズミ捕獲機１を示している。ネズミ捕獲機１は操作台上に取り付けられており、操作台は、図示されている実施形態においては、下水管４１と弾性的に係合している可撓性の半円筒形の筒状部材４０である。筒状部材４０は、下水管の内壁と係合できるように、例えば、拡張手段が設けられている半円筒形筒状部材の形態とすることもできる。筒状部材４０は、鋼によって作ることができるが、例えばプラスチックのような他の材料を使用しても良い。
【００１５】
応力がかかっていない状態では、弾性の筒状部材４０の外半径は、下水管４１の内半径よりも若干大きい。これによって、当該ネズミ捕獲機は、筒状部材４０が下水管４１内へ挿入できるのに適した程度まで筒状部材４０を圧縮するネズミ捕獲機取り付け機具によって、下水管内に単に容易に固定することができる。次いで、当該取り付け機具は、筒状部材４０を下水管４１に挿入し且つ下水管内を進入させる。これに続いて、筒状部材４０は下水管４１の内壁に弾性的に係合する。筒状部材４０は弾性材料によって作られたものとして説明されているけれども、例えば、機械的拡張スリーブのような当業者に公知の他の解決方法を使用しても良い。例示目的のために、当該捕獲機は、スパイクが飛び出た状態で示されているけれども、もちろん、通常は、当該捕獲機は作動状態等でない場合にはスパイクは飛び出ていない。
【００１６】
図３及び４は、下水坑道内に捕獲機を取り付けるための機具を備えている本発明による操作台を示しており、以下、当該操作台の機能を更に詳細に説明する。当該取り付け機具は、２つの部品、すなわち、ハンドル部６０と、操作台を構成する筒状部材４０の両側部へ延びている２つの指状突起を備えている顎状掴み部７０とによって構成されている。上記したように、当該捕獲機又はその他の電動装置は、通常は、筒状部材４０上に取り付けられるが、明確化のために、図３に示されている描写においては、筒状部材に取り付けられていない。
【００１７】
ハンドル部分には取り付けピンが設けられており、当該取り付けピンは、図示されている実施形態においては、３つの部分６２，６３，６４に分割されており、中央の部分６３にだけねじが切られている。当該取り付けピンは、ねじ部が顎状掴み部７０の対応するねじ部と噛み合うように顎状掴み部７０に適合せしめられており、部分６３のねじ部の後方に配置されている取り付けピンのねじが切られていない部分６４は顎状掴み部７０の厚みに適合されており、部分６２，６３，６４は、取り付けピンのねじが切られた部分６３が顎状掴み部７０のねじと係合しない位置まで当該顎状掴み部内へねじ込むことができる。顎状掴み部と同様に、弾性の筒状部材４０には、取り付けピンのねじ部と噛み合うねじ部が設けられている。このねじ部は、（図示されているように、）ナット６５によって構成することができるが、もちろん、他の種々の方法によって作ることができる。
【００１８】
当該機具が使用されるときには、顎状掴み部７０を取り付け軸５１上に取り付けることから始められる。次いで、取り付けピンのねじ部６３を筒状部材４０上のナット内へねじ込むことができ、それによって、筒状部材４０は顎状掴み部７０の凸状部分内へと引き込まれる。この工程中に、筒状部材４０は変形せしめられる（圧縮される）。筒状部材４０を捕獲機が取り付けられるべき位置（図示せず）まで下水管内へ圧入できるまで、当該取り付け機具によってこの変形作業が続けられ、続いて、当該取り付け機具は、取り付けピンを単に回転させることによって筒状部材４０との係合状態から解除することによって当該捕獲機を展開させる。
【実施例２】
【００２０】
図４には、操作台がその一方の側面の外側から見た状態で示されており、この図から分かるように、当該操作台の筒状部材には、摩擦増大材料８０が設けられている。当該摩擦増大材料は、操作台の筒状部材と下水管の内壁との間に良好な摩擦を付与するために、ゴムによって作られているのが好ましいが、特定の目的のために如何なる摩擦増大材料をも選択することができる。更に、多くの穴８１が、操作台の外側から当該操作台内を伸長して当該操作台の内部まで延びており且つ図１及び２のネズミ捕獲機のような電動装置が取り付けられ且つスパイク３が外側から操作台の内部へと入るのを許容するように配置されている。
【００２１】
当該捕獲機はまた、他の監視作業のための手段を有利に装備することもできる。例えば、当該捕獲機には、水面高さ、流量、流れ、水質／汚染、ＰＨ値又は温度の監視及び連続的な記録のような作業のための１以上の手段を設けることができる。
【符号の説明】
【００２２】
１  ネズミ捕獲機、
３  スパイク、
４０  筒状部材
４１  下水管、
５０  下水坑道、
５１  取り付け軸、
６０  ハンドル部、
６２，６３，６４  取り付けピンの部分、
６５  ナット、
７０  顎状掴み部、
８０  摩擦増大材料、
８１  穴
【図１】
0005103484.tif 000002
【図２】
0005103484.tif 000003
【図３】
0005103484.tif 000004
【図４】
0005103484.tif 000005